(57)【要約】【課題】テレビジョン放送番組の予約録画機能を備えたセットトップボックスにおいて、ユーザと電子メールで確認しながら、ユーザの嗜好にあった番組の予約録画登録を行うと共に、予約録画件数を所定数内に抑え、不要な番組録画をなくす。【解決手段】通知用のメールアドレスを設定し（Ｓ１）、録画希望番組のキーワードを登録し（Ｓ２）、ＥＰＧ情報からキーワード検索した番組を予約登録する（Ｓ３）。次にＥＰＧが更新された場合に（Ｓ４でＹＥＳ）、キーワードに一致する番組があり（Ｓ５でＹＥＳ）、この番組数が５件未満の場合は（Ｓ６でＮＯ）、録画確認メールを送信し（Ｓ１０）、返信メールを確認後（Ｓ１１でＹＥＳ）、予約録画登録し（Ｓ１２）、選択番組数が５件以上の場合は（Ｓ６でＹＥＳ）、キーワード変更確認メールを送信し（Ｓ７）、返信メールを確認後（Ｓ８でＹＥＳ）、登録キーワードの変更を行い（Ｓ９）、予約録画数を所定数内に抑える。【選択図】図２
2006093799.tif 000002
【特許請求の範囲】
【請求項１】
受信したテレビジョン放送信号から、ユーザ所望のテレビジョン放送番組（以下、番組と略す）を選局し、テレビジョン信号を復調するチューナ手段と、前記復調されたテレビジョン信号の番組を記録する記録手段と、放送局から送られる電子番組ガイド（Ｅｌｅｃｔｒｏｎｉｃ  Ｐｒｏｇｒａｍ  Ｇｕｉｄｅ（以下、ＥＰＧと略す））情報をデコードするＥＰＧデコード手段と、前記番組の予約録画の登録処理を制御する予約録画登録制御手段とを備えたセットトップボックスにおいて、
予約録画の対象となる番組を抽出するためのキーワードや、ユーザの所持する携帯電話等の端末のメールアドレスを入力するための入力手段と、
ユーザが前記入力手段により入力したキーワードに一致する番組タイトルを前記ＥＰＧ情報から検索する番組検索手段と、
ユーザが前記入力手段により入力したキーワードやメールアドレスを記憶する記憶手段と、
前記端末との間で電子メールの送受信を行うための電子メール送受信手段と、
前記電子メール送受信手段で受信した電子メールが、前記電子メール送受信手段で送信した電子メールのうちの、どの電子メールに対する返信であるかを確認するための電子メール確認手段とをさらに備え、
前記予約録画登録制御手段は、
前記番組検索手段による検索に使用されるＥＰＧ情報が更新された場合に、更新後のＥＰＧ情報に基いて、前記番組検索手段によりキーワードに一致する番組タイトルを再度検索し、
前記キーワードに一致する番組タイトルの数が５件未満の場合は、これらの各番組タイトルを含む、各番組についての予約録画の確認用のメールを、前記記憶手段に記憶されたメールアドレス宛に前記電子メール送受信手段により送信して、この予約録画の確認用のメールに対する返信の電子メールを前記電子メール送受信手段により受信した場合に、この返信された電子メールに対応する予約録画の確認用のメールに含まれていた番組タイトルの番組についての予約録画の登録処理を行い、前記予約録画の確認用のメールに対する返信の電子メールを前記電子メール送受信手段により受信しなかった場合には、この返信されなかった電子メールに対応する予約録画の確認用のメールに含まれていた番組タイトルの番組についての予約録画の登録処理を行わないようにし、
前記キーワードに一致する番組タイトルの数が５件以上の場合は、キーワード変更を促す電子メールを、前記記憶手段に記憶されたメールアドレス宛に前記電子メール送受信手段により送信して、新しいキーワードを含む返信の電子メールを前記電子メール送受信手段により受信した場合に、新しいキーワードを記憶手段に記憶すると共に、新しいキーワードに一致する番組タイトルを前記番組検索手段により再度検索するようにし、
前記電子メール確認手段は、前記電子メール送受信手段で受信した返信の電子メールのヘッダに含まれる元の電子メールのメッセージ識別信号（Ｍｅｓｓａｇｅ―ＩＤ）と、送信元の電子メールのメッセージ識別信号（Ｍｅｓｓａｇｅ―ＩＤ）とを比較することにより、前記返信の電子メールが、前記電子メール送受信手段で送信した電子メールのうちの、どの電子メールに対する返信であるかを確認するようにしたことを特徴とするセットトップボックス。
【請求項２】
受信したテレビジョン放送信号から、ユーザ所望のテレビジョン放送番組（以下、番組と略す）を選局し、テレビジョン信号を復調するチューナ手段と、放送局から送られる電子番組ガイド（Ｅｌｅｃｔｒｏｎｉｃ  Ｐｒｏｇｒａｍ  Ｇｕｉｄｅ（以下、ＥＰＧと略す））情報をデコードするＥＰＧデコード手段と、前記番組の予約録画の登録処理を制御する予約録画登録制御手段とを備えたセットトップボックスにおいて、
予約録画の対象となる番組を抽出するためのキーワードや、ユーザの所持する携帯電話等の端末のメールアドレスを入力するための入力手段と、
ユーザが前記入力手段により入力したキーワードに一致する番組タイトルを前記ＥＰＧ情報から検索する番組検索手段と、
ユーザが前記入力手段により入力したキーワードやメールアドレスを記憶する記憶手段と、
前記端末との間で電子メールの送受信を行うための電子メール送受信手段と、
前記電子メール送受信手段で受信した電子メールが、前記電子メール送受信手段で送信した電子メールのうちの、どの電子メールに対する返信であるかを確認するための電子メール確認手段とをさらに備え、
前記予約録画登録制御手段は、
前記番組検索手段による検索に使用されるＥＰＧ情報が更新された場合に、更新後のＥＰＧ情報に基いて、前記番組検索手段によりキーワードに一致する番組タイトルを再度検索し、
前記キーワードに一致する番組タイトルの数が所定の件数に満たない場合、これらの各番組タイトルを含む、各番組についての予約録画の確認用のメールを、前記記憶手段に記憶されたメールアドレス宛に前記電子メール送受信手段により送信して、この予約録画の確認用のメールに対する返信の電子メールを前記電子メール送受信手段により受信しなかった場合には、この返信されなかった電子メールに対応する予約録画の確認用のメールに含まれていた番組タイトルの番組についての予約録画の登録処理を行わないようにしたことを特徴とするセットトップボックス。
【請求項３】
前記予約録画の確認用のメールに対する返信の電子メールを前記電子メール送受信手段により受信した場合に、この返信された電子メールに対応する予約録画の確認用のメールに含まれていた番組タイトルの番組についての予約録画の登録処理を行うようにしたことを特徴とする請求項２に記載のセットトップボックス。
【請求項４】
前記電子メール確認手段は、前記電子メール送受信手段で受信した返信の電子メールのヘッダに含まれる元の電子メールのメッセージ識別信号（Ｍｅｓｓａｇｅ―ＩＤ）と、送信元の電子メールのメッセージ識別信号（Ｍｅｓｓａｇｅ―ＩＤ）とを比較することにより、前記返信の電子メールが、前記電子メール送受信手段で送信した電子メールのうちの、どの電子メールに対する返信であるかを確認するようにしたことを特徴とする請求項２に記載のセットトップボックス。
【発明の詳細な説明】
【技術分野】
【０００１】
本発明は、テレビジョン放送信号を受信して、ユーザの嗜好番組を録画予約する機能を備えたセットトップボックス（以下、ＳＴＢと略す）に関するものである。
【背景技術】
【０００２】
従来より、ユーザは希望する番組の視聴、ないし録画をする際には、予め新聞、雑誌などの印刷物に基いて目的とする番組を選択し、その選択した番組に対する放送開始時刻情報を基に番組視聴、ないし録画を行っており、その番組視聴、ないしは録画装置への入力については、ユーザ自身がテレビ番組一覧表をチェックしたうえで行い、特に番組予約では、Ｇコード入力により行う方法が主流である。
【０００３】
一方、近年では、衛星放送やディジタル放送の新規参入によって、多チャンネル、多コンテンツ化が進行してきており、ユーザの番組選択の幅が大きく拡大してきている。これらの多チャンネル化に対して、ユーザが番組の選択を容易にするため、番組予定表が電子番組表として提供サービス業者により、ネットワークを介して、又は番組放送の補助チャンネルが用いられて伝送されるようになってきた。この電子番組表を用いることにより、直接的に番組視聴装置がその放送開始時刻に選定された番組を受信する、ないしは番組録画装置がその目的の番組信号の録画を開始することも実用化されつつある。
【０００４】
しかし、印刷物による場合、又は電子番組表による場合のいずれにおいても、番組表に記載される全ての番組より視聴者の希望する番組を目視により選択する必要があるため、そのような番組の選択には多くの時間を要する。そこで、容易に希望する番組を選択でき、簡単に録画予約できる方法が望まれている。
【０００５】
また、最近はインターネットの普及により、電子メールを利用するサービスも開始され、予めユーザの希望する番組検索用のキーワードを登録しておき、そのキーワードにより検索された放送番組に係る情報を、番組お知らせメールとして送付するサービスもなされている。なお、従来、テレビ番組の番組予約視聴、予約録画を行うものとして、ユーザの嗜好番組に係るキーワード情報を番組情報提供者に伝送し、嗜好番組に係る情報サービスを電子メールで得ることにより、簡易に番組視聴、及び録画予約を行う番組提供システム（特許文献１参照）や、ディジタルＴＶ放送受信装置からのデータ取得要求に基き、放送局からトランスストリームデータにディジタルＴＶ放送受信装置識別番号と要求データを多重して放送することにより、ディジタルＴＶ放送受信装置を外出先等の遠隔地から操作する放送受信装置制御システム（特許文献２参照）、ユーザが携帯電話でサービスサーバに登録したキーワードより番組情報を抽出し、広告コンテンツをつけて番組情報メールをユーザに送り、ユーザが希望すればＶＴＲ装置に録画予約情報を送信し番組録画予約する番組データ配信システム（特許文献３参照）、携帯電話でＥＰＧサーバにアクセスしてＥＰＧ情報をダウンロードし、ＳＴＢに録画予約するもの（特許文献４参照）等が知られている。
【特許文献１】特開２００３−８７６７７号公報
【特許文献２】特開２００２−１９９３０１号公報
【特許文献３】特開２００３−１７９９０７号公報
【特許文献３】特開２００２−２９０５９７号公報
【発明の開示】
【発明が解決しようとする課題】
【０００６】
上述のように、多チャンネル放送受信におけるＴＶ放送の番組選択及び録画予約においては、サービス業者が、多数の番組選択肢の中からユーザ好みのキーワードを使って、ユーザの関心のある番組情報を提供するサービスもあるが、システムが複雑であり、コストも高くつくという問題があった。また、送られてきた番組情報をユーザが確認して録画するかどうかを決めるのに、ユーザの視聴画面のＥＰＧを開いて、再度選択検討しなければならず大変手間であった。特に、電子番組ガイド（ＥＰＧ）が更新された場合などにおいて、番組更新後の情報は、ユーザがＥＰＧ画面を見にいかないと分からないという問題もあった。従って、特に、番組録画予約では、嗜好番組の選択状況がＥＰＧ画面を見にいかなくても、ユーザに自動的に通知され、ユーザの確認のもとに確実に録画予約でき、記録装置の記録容量の制限を考慮し、ユーザの興味ある番組の中でも、できるだけユーザの嗜好に近い番組のみを選択し、不要な番組の録画をなくし、記録装置の記録可能領域を無駄に使用しないようにすることができる番組録画予約の可能なセットトップボックスの実現が望まれていた。
【０００７】
本発明は、上記の問題を解決するためになされたものであり、嗜好にあった番組のキーワードを自機に登録し、このキーワードを用いてＥＰＧ情報から番組検索し、選択された番組を録画予約登録すると共に、ＥＰＧ情報が更新される度に番組検索し、更新結果をユーザにメールで通知し、確認できるようにすることにより、ＥＰＧ画面を表示することなく、常によりユーザの嗜好にあった最新の番組を選択して録画でき、同時に不要な番組の録画をなくすことができる番組録画予約機能を備えたセットトップボックスを提供することを目的とする。
【課題を解決するための手段】
【０００８】
上記目的を達成するために請求項１の発明は、受信したテレビジョン放送信号から、ユーザ所望のテレビジョン放送番組（以下、番組と略す）を選局し、テレビジョン信号を復調するチューナ手段と、前記復調されたテレビジョン信号の番組を記録する記録手段と、放送局から送られる電子番組ガイド（Ｅｌｅｃｔｒｏｎｉｃ  Ｐｒｏｇｒａｍ  Ｇｕｉｄｅ（以下、ＥＰＧと略す））情報をデコードするＥＰＧデコード手段と、前記番組の予約録画の登録処理を制御する予約録画登録制御手段とを備えたセットトップボックスにおいて、予約録画の対象となる番組を抽出するためのキーワードや、ユーザの所持する携帯電話等の端末のメールアドレスを入力するための入力手段と、ユーザが前記入力手段により入力したキーワードに一致する番組タイトルを前記ＥＰＧ情報から検索する番組検索手段と、ユーザが前記入力手段により入力したキーワードやメールアドレスを記憶する記憶手段と、前記端末との間で電子メールの送受信を行うための電子メール送受信手段と、前記電子メール送受信手段で受信した電子メールが、前記電子メール送受信手段で送信した電子メールのうちの、どの電子メールに対する返信であるかを確認するための電子メール確認手段とをさらに備え、前記予約録画登録制御手段は、前記番組検索手段による検索に使用されるＥＰＧ情報が更新された場合に、更新後のＥＰＧ情報に基いて、前記番組検索手段によりキーワードに一致する番組タイトルを再度検索し、前記キーワードに一致する番組タイトルの数が５件未満の場合は、これらの各番組タイトルを含む、各番組についての予約録画の確認用のメールを、前記記憶手段に記憶されたメールアドレス宛に前記電子メール送受信手段により送信して、この予約録画の確認用のメールに対する返信の電子メールを前記電子メール送受信手段により受信した場合に、この返信された電子メールに対応する予約録画の確認用のメールに含まれていた番組タイトルの番組についての予約録画の登録処理を行い、前記予約録画の確認用のメールに対する返信の電子メールを前記電子メール送受信手段により受信しなかった場合には、この返信されなかった電子メールに対応する予約録画の確認用のメールに含まれていた番組タイトルの番組についての予約録画の登録処理を行わないようにし、前記キーワードに一致する番組タイトルの数が５件以上の場合は、キーワード変更を促す電子メールを、前記記憶手段に記憶されたメールアドレス宛に前記電子メール送受信手段により送信して、新しいキーワードを含む返信の電子メールを前記電子メール送受信手段により受信した場合に、新しいキーワードを記憶手段に記憶すると共に、新しいキーワードに一致する番組タイトルを前記番組検索手段により再度検索するようにし、前記電子メール確認手段は、前記電子メール送受信手段で受信した返信の電子メールのヘッダに含まれる元の電子メールのメッセージ識別信号（Ｍｅｓｓａｇｅ―ＩＤ）と、送信元の電子メールのメッセージ識別信号（Ｍｅｓｓａｇｅ―ＩＤ）とを比較することにより、前記返信の電子メールが、前記電子メール送受信手段で送信した電子メールのうちの、どの電子メールに対する返信であるかを確認するようにしたものである。
【０００９】
請求項２の発明は、受信したテレビジョン放送信号から、ユーザ所望のテレビジョン放送番組（以下、番組と略す）を選局し、テレビジョン信号を復調するチューナ手段と、放送局から送られる電子番組ガイド（Ｅｌｅｃｔｒｏｎｉｃ  Ｐｒｏｇｒａｍ  Ｇｕｉｄｅ（以下、ＥＰＧと略す））情報をデコードするＥＰＧデコード手段と、前記番組の予約録画の登録処理を制御する予約録画登録制御手段とを備えたセットトップボックスにおいて、予約録画の対象となる番組を抽出するためのキーワードや、ユーザの所持する携帯電話等の端末のメールアドレスを入力するための入力手段と、ユーザが前記入力手段により入力したキーワードに一致する番組タイトルを前記ＥＰＧ情報から検索する番組検索手段と、ユーザが前記入力手段により入力したキーワードやメールアドレスを記憶する記憶手段と、前記端末との間で電子メールの送受信を行うための電子メール送受信手段と、前記電子メール送受信手段で受信した電子メールが、前記電子メール送受信手段で送信した電子メールのうちの、どの電子メールに対する返信であるかを確認するための電子メール確認手段とをさらに備え、前記予約録画登録制御手段は、前記番組検索手段による検索に使用されるＥＰＧ情報が更新された場合に、更新後のＥＰＧ情報に基いて、前記番組検索手段によりキーワードに一致する番組タイトルを再度検索し、前記キーワードに一致する番組タイトルの数が所定の件数に満たない場合、これらの各番組タイトルを含む、各番組についての予約録画の確認用のメールを、前記記憶手段に記憶されたメールアドレス宛に前記電子メール送受信手段により送信して、この予約録画の確認用のメールに対する返信の電子メールを前記電子メール送受信手段により受信しなかった場合には、この返信されなかった電子メールに対応する予約録画の確認用のメールに含まれていた番組タイトルの番組についての予約録画の登録処理を行わないようにしたものである。
【００１０】
請求項３の発明は、請求項２に記載の発明において、前記予約録画の確認用のメールに対する返信の電子メールを前記電子メール送受信手段により受信した場合に、この返信された電子メールに対応する予約録画の確認用のメールに含まれていた番組タイトルの番組についての予約録画の登録処理を行うようにしたものである。
【００１１】
請求項４の発明は、請求項２に記載の発明において、前記電子メール確認手段は、前記電子メール送受信手段で受信した返信の電子メールのヘッダに含まれる元の電子メールのメッセージ識別信号（Ｍｅｓｓａｇｅ―ＩＤ）と、送信元の電子メールのメッセージ識別信号（Ｍｅｓｓａｇｅ―ＩＤ）とを比較することにより、前記返信の電子メールが、前記電子メール送受信手段で送信した電子メールのうちの、どの電子メールに対する返信であるかを確認するようにしたものである。
【発明の効果】
【００１２】
請求項１の発明によれば、自機において、ユーザの嗜好にあったキーワードでユーザの嗜好の番組が簡単に選択され、これらの予約録画をすることができると共に、選択対象となる番組が多い場合の録画番組の選択絞込みを、ユーザが自機のＥＰＧ画面を見て操作しなくても行うことができる。そして、ＥＰＧに更新があって選択された番組タイトルが５件以上に増えた場合には、キーワード変更をメールで通知し、録画番組予約数の制限、修正に即応できるため、また、ＥＰＧの更新後にキーワードに一致する番組タイトルの数が５件に満たない場合でも、ユーザがこれらの番組タイトルに関する予約録画の確認用のメールに対する返信を行わなかった場合には、予約録画の登録を行わないため、希望しない無駄な番組の録画が省け、記録装置の記録可能領域を無駄に使用することを防ぐことができる。
【００１３】
また、録画予約決定、キーワード変更は全てユーザとのメールで行うので、時間と場所の制限が殆ど無く利便性が高まる。さらにまた、電子メールの送受信では、電子メールの確認を返信の電子メールに含まれる元の電子メールのメッセージ識別信号（Ｍｅｓｓａｇｅ―ＩＤ）と、送信元の電子メールとのメッセージ識別信号（Ｍｅｓｓａｇｅ―ＩＤ）を比較することにより、返信の電子メールと、送信した電子メールとの１件１件対応のメール確認を確実に行うので、予約録画、キーワード変更等を正しく行うことできる。
【００１４】
請求項２の発明によれば、ユーザの嗜好にあったキーワードでユーザの嗜好の番組が簡単に選択され、予約録画することができると共に、本体とユーザとで電子メールを用いて、双方向で、時間と場所を選ばず通知できることにより、ユーザの意思が直ぐ反映できるユーザ嗜好の番組選択と録画予約が行える。また、ＥＰＧ情報が更新された場合に、キーワードに一致する番組タイトルの数が所定の件数に満たない場合において、この予約録画の確認用のメールに対する返信電子メールを受信しなかった場合には、予約録画の確認用のメールに含まれていた番組タイトルの番組についての予約録画の登録処理を行わないようにしているので、ユーザの希望しない無駄な番組の録画が省け、記録装置の記録可能領域を無駄に使用することを防ぐことができる。
【００１５】
請求項３の発明によれば、請求項２の発明の効果に加え、ＥＰＧ情報が更新されたときに、キーワードに一致する番組タイトルの数が所定の件数に満たず、予約録画の確認用のメールに対する返信の電子メールを受信した場合に、この返信された電子メールに対応する予約録画の確認用のメールに含まれていた番組タイトルの番組についての予約録画の登録処理を行うようにしたので、ユーザの希望する番組を所定の件数範囲内で確実に録画することができる。
【００１６】
請求項４の発明によれば、請求項２の発明の効果に加え、電子メール確認操作により、返信の電子メールが、送信した電子メールのうちの、どの電子メールに対する返信であるかを確実に確認できることにより、予約録画を確実に行うことできる。
【発明を実施するための最良の形態】
【００１７】
以下、本発明の一実施の形態に係る番組録画予約機能をもつセットトップボックスとして、本発明の機能を導入したチューナ内蔵ＤＶＤ記録装置１について、図面を参照して説明する。図１は、本実施の形態に係るチューナ内蔵ＤＶＤ記録装置１（以下、ＤＶＤ記録装置と略す）の構成を示す。同図において、ＤＶＤ記録装置１は、アンテナ２に接続され、テレビジョン放送信号を受信するチューナ１１、チューナ１１で受信復調したＴＶ放送信号に含まれる映像信号をデコードする映像デコーダ１２、テレビジョン放送信号に含まれる音声信号をデコードする音声デコーダ１３、デコードされたＴＶ放送信号に所定の表示画像を重畳させるオンスクリーンディスプレイ部（ＯＳＤ）１４、放送局から送られる電子番組ガイド（Ｅｌｅｃｔｒｏｎｉｃ  Ｐｒｏｇｒａｍ  Ｇｕｉｄｅ（以下、ＥＰＧと略す））情報をデコードするＥＰＧデコーダ１５（ＥＰＧデコード手段）と、ＥＰＧ情報から番組タイトルを検索し、予約録画の登録処理を制御する制御部１６（番組検索手段、予約録画登録制御手段）、ユーザが入力した番組抽出用のキーワードやユーザの所有する携帯電話５（端末）のメールアドレスを記憶するメモリ１７、このキーワードやメールアドレスを入力する本体ボタンやリモコンよりなる入力装置６、選択されたＴＶ番組の映像信号、音声信号等をＤＶＤに記録する記録ユニット１８、本装置１とユーザの所有する携帯電話５（端末）との間で電子メールの送受信を行うネットワークカード（電子メール送受信手段）１９などで構成されている。本構成において、制御部１６は、さらに、ネットワークカード１９で受信した返信の電子メールのヘッダに含まれる元の電子メールのメッセージ識別信号（Ｍｅｓｓａｇｅ―ＩＤ）と、送信元の電子メールのメッセージ識別信号（Ｍｅｓｓａｇｅ―ＩＤ）とを比較することにより、返信の電子メールが、ネットワークカード１９より送信した電子メールのうちの、どの電子メールに対する返信であるかを確認する機能をもち（電子メール確認手段）、電子メールの確認を行う。なお、映像デコーダ１２によりデコードされた映像信号は、オンスクリーンディスプレイ部（ＯＳＤ）１４を介してディスプレイ装置３に表示され、音声デコーダ１３でデコードされた音声信号は音声出力部２０を介してスピーカ４に出力される。
【００１８】
次に、ＤＶＤ記録装置１と携帯電話５との間における予約録画登録の確認のプロセスについて、図２に示すフローチャートを参照しつつ説明する。最初に、ユーザが、入力装置６より、通知を行うユーザの携帯電話５の電子メールのアドレスを入力すると、制御部１６は、このメールアドレスをメモリ１７に記憶して設定する（Ｓ１）。次に、ユーザが、入力装置６より、録画したい番組のキーワードを入力すると、制御部１６は、このキーワードをメモリ１７に記憶して登録し（Ｓ２）、ＥＰＧの情報に基いて、このキーワードに一致する番組を検索して、一致した番組について、予約録画の登録を行う（Ｓ３）。そして、ＥＰＧが更新されたときに（Ｓ４でＹＥＳ）、キーワードに一致する番組があった場合で（Ｓ５でＹＥＳ）、キーワードに一致した番組が５件未満の場合は（Ｓ６でＮＯ）、制御部１６は、ユーザに録画確認メールを送信し（Ｓ１０）、携帯電話５より返信電子メールを受信し、受信電子メールが送信した電子メールの返信であることの確認ができると（Ｓ１１でＹＥＳ）、該当の番組タイトルの番組について予約録画の登録を行い（Ｓ１２）、返信電子メールを受信しなかった場合は（Ｓ１１でＮＯ）、録画しない。一方、ステップＳ６でキーワードに一致した番組が５件以上あった場合は（Ｓ６でＹＥＳ）、番組数を減らすために、ユーザにキーワード変更の確認メールを送信し（Ｓ７）、返信メールを受信して、受信メールが送信した電子メールの返信であることのメール確認ができると（Ｓ８でＹＥＳ）、この返信メールに含まれたキーワードをメモリ１７に記憶して登録キーワードの変更を行い（Ｓ９）、ステップＳ５に戻りキーワード検索処理を実行する。これに対して、返信電子メールを受信しなかった場合は（Ｓ８でＮＯ）、録画しない。そして、キーワードを変更により、キーワードが５件未満になるまでＳ６からＳ９までのステップを繰り返し、最終的に予約録画の登録を行う。これらのステップにより、ユーザ嗜好の番組は、５件未満の最新の番組数が必ず録画予約され、かつ不要な番組は録画されないようにすることができる。
【００１９】
以上、上記チューナ内蔵ＤＶＤ記録装置で述べたように、本発明による記録装置を備えたセットトップボックスによれば、ユーザの嗜好にあったキーワードでユーザの嗜好の番組が簡単に選択され、予約録画できるので、録画予約を自機のＥＰＧ画面を見て操作しなくても行うことができ、印刷物の番組表や電子番組表による番組表に記載された全ての番組より、ユーザの希望する番組を目視で選択する煩わしさをなくすことができる。
【００２０】
また、たとえＥＰＧに更新があって選択番組が増えた場合でも、キーワード変更をメールで通知し、録画番組予約数の制限、修正に即応できるため、希望しない無駄な番組の録画が省け、記録装置の記録可能領域を無駄に使用することを防ぐことができる。
【００２１】
さらに、受信した返信の電子メールのメッセージ識別信号（Ｍｅｓｓａｇｅ―ＩＤ）と、送信元の電子メールとのメッセージ識別信号（Ｍｅｓｓａｇｅ―ＩＤ）とを比較することにより、返信の電子メールと、送信した電子メールとの１件１件対応のメール確認を行うことで、間違いなくユーザの希望する番組を確実に予約録画、及びキーワード変更等を正しく行うことできる。
【００２２】
なお、本発明は、上記実施形態に限られるものではなく、様々な変形が可能である。上記では、ユーザへの電子メールをキーワードに一致した番組が５件未満と５件以上との番組数で分けてユーザに通知していたが、これらを番組の所定の合計録画時間数で分けて録画登録確認、又はキーワード変更確認のメール通知をすることにより、録画時間に配慮した録画予約をすることができ、セットトップボックスの記録装置の記録容量に見合った予約を行うことができる。これによりユーザの利便性を高めることができる。
【００２３】
また、上述の説明では、記録装置を有するセットトップボックスとしてチューナ内臓ＤＶＤ記録装置について説明したが、本発明は、テレビジョンチューナ内蔵の、ＶＴＲ記録装置、ハードディスクレコーダ記録装置等、テレビジョン放送を受信できるチューナ装置をもち、テレビジョン信号を記録できる記録装置を備えたＡＶ機器であれば全て適用することができる。さらにまた、セットトップボックス本体に記録装置が内蔵されたものに限らず、記録装置を持たないセットトップボックスに、外付けの外部記録装置を接続して利用することも可能である。
【図面の簡単な説明】
【００２４】
【図１】本発明の一実施形態に係るチューナ内蔵ＤＶＤ記録装置の構成を示す電気的ブロック図。
【図２】上記チューナ内蔵ＤＶＤ記録装置による予約番組録画のステップを示すフローチャート。
【符号の説明】
【００２５】
１    チューナ内蔵ＤＶＤ記録装置（セットトップボックス）
５    携帯電話（端末）
６    入力装置（入力手段）
１１  チューナ部（チューナ手段）
１２  映像デコーダ
１３  音声デコーダ
１５  ＥＰＧデコーダ（ＥＰＧデコード手段）
１６  制御部（予約録画登録制御手段、番組検索手段、電子メール確認手段）
１７  メモリ（記憶手段）
１８  記録ユニット（記録手段）
１９  ネットワークカード（電子メール送受信手段）
【図１】
2006093799.tif 000003
【図２】
2006093799.tif 000004